【手続補正書】
【提出日】平成28年8月1日(2016.8.1)
【手続補正１】
【補正対象書類名】明細書
【補正対象項目名】発明の名称
【補正方法】変更
【補正の内容】
【発明の名称】情報処理装置、クライアント端末、情報処理システム、その制御方法およびプログラム
【手続補正２】
【補正対象書類名】明細書
【補正対象項目名】０００１
【補正方法】変更
【補正の内容】
【０００１】
本発明は、情報処理装置、クライアント端末、情報処理システム、その制御方法およびプログラムに関する。
【手続補正３】
【補正対象書類名】明細書
【補正対象項目名】０００８
【補正方法】変更
【補正の内容】
【０００８】
本発明は、クライアント端末において入力を受け付けたユーザ識別情報のユーザが閲覧を可能な被写体の画像データのうち、所望の被写体の画像データを表示させることが可能な仕組みを提供することを目的とする。
【手続補正４】
【補正対象書類名】明細書
【補正対象項目名】０００９
【補正方法】変更
【補正の内容】
【０００９】
本発明は、ユーザを一意に識別するユーザ識別情報の入力を受け付け、当該ユーザが閲覧可能な被写体の画像データを表示する画像データ表示画面を表示するクライアント端末と通信可能な、前記画像データ表示画面において表示する画像データを登録する情報処理装置であって、前記画像データの被写体と当該被写体の画像データを閲覧可能なユーザのユーザ識別情報の指定を受け付ける指定受付画面を、前記クライアント端末に表示させるべく制御する指定受付画面表示制御手段と、前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御手段と、を備え、前記表示制御手段は、前記画像データ表示画面において選択を受け付けた被写体の画像データを、前記画像データ表示画面において表示させるべく制御することを特徴とする。
【手続補正５】
【補正対象書類名】明細書
【補正対象項目名】００１０
【補正方法】変更
【補正の内容】
【００１０】
本発明によれば、クライアント端末において入力を受け付けたユーザ識別情報のユーザが閲覧を可能な被写体の画像データのうち、所望の被写体の画像データを表示させることが可能な仕組みを提供することが可能になる。
【手続補正６】
【補正対象書類名】特許請求の範囲
【補正対象項目名】全文
【補正方法】変更
【補正の内容】
【特許請求の範囲】
【請求項１】
ユーザを一意に識別するユーザ識別情報の入力を受け付け、当該ユーザが閲覧可能な被写体の画像データを表示する画像データ表示画面を表示するクライアント端末と通信可能な、前記画像データ表示画面において表示する画像データを登録する情報処理装置であって、
前記画像データの被写体と当該被写体の画像データを閲覧可能なユーザのユーザ識別情報の指定を受け付ける指定受付画面を、前記クライアント端末に表示させるべく制御する指定受付画面表示制御手段と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御手段と、
を備え、
前記表示制御手段は、前記画像データ表示画面において選択を受け付けた被写体の画像データを、前記画像データ表示画面において表示させるべく制御することを特徴とする情報処理装置。
【請求項２】
前記情報処理装置に登録する前記画像データの指定を受け付ける画像データ指定受付画面であって、前記被写体を、前記情報処理装置に登録する前記画像データの被写体として選択可能な画像データ指定受付画面を表示すべく制御する画像データ指定受付画面表示制御手段と、
前記画像データ指定受付画面において選択された被写体の画像データとして、前記画像データ指定受付画面において指定された画像データを登録する画像データ登録手段と、
を備えることを特徴とする請求項１に記載の情報処理装置。
【請求項３】
前記情報処理装置は、前記画像データの日時情報を記憶し、
前記画像データ表示画面は、前記クライアント端末において入力されたユーザ識別情報のユーザが閲覧可能な前記被写体の画像を、前記日時情報の示す日ごとに表示するカレンダー画面であって、
前記表示制御手段は、前記クライアント端末において入力を受け付けた前記ユーザ識別情報のユーザが閲覧可能として指定された被写体の画像データを表示するカレンダー画面を前記クライアント端末において表示させるべく制御することを特徴とする請求項１又は２に記載の情報処理装置。
【請求項４】
前記情報処理装置はウェブサイトサーバであって、
前記表示制御手段は、前記画像データ表示画面を前記クライアント端末において表示させるべく、前記画像データ表示画面にかかる情報である前記画像データ表示画面のＨＴＭＬデータを前記クライアント端末に送信することを特徴とする請求項１乃至３のいずれか１項に記載の情報処理装置。
【請求項５】
ユーザを一意に識別するユーザ識別情報の入力を受け付け、当該ユーザが閲覧可能な被写体の画像データを表示する画像データ表示画面を表示するクライアント端末と通信可能な、前記画像データ表示画面において表示する画像データを登録する情報処理装置の制御方法であって、
前記画像データの被写体と当該被写体の画像データを閲覧可能なユーザのユーザ識別情報の指定を受け付ける指定受付画面を、前記クライアント端末に表示させるべく制御する指定受付画面表示制御工程と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御工程と、
を含み、
前記表示制御工程は、前記画像データ表示画面において選択を受け付けた被写体の画像データを、前記画像データ表示画面において表示させるべく制御することを特徴とする情報処理装置の制御方法。
【請求項６】
ユーザを一意に識別するユーザ識別情報の入力を受け付け、当該ユーザが閲覧可能な被写体の画像データを表示する画像データ表示画面を表示するクライアント端末と通信可能な、前記画像データ表示画面において表示する画像データを登録する情報処理装置を制御するプログラムであって、
前記情報処理装置を、
前記画像データの被写体と当該被写体の画像データを閲覧可能なユーザのユーザ識別情報の指定を受け付ける指定受付画面を、前記クライアント端末に表示させるべく制御する指定受付画面表示制御手段と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御手段として機能させ、
前記表示制御手段は、前記画像データ表示画面において選択を受け付けた被写体の画像データを、前記画像データ表示画面において表示させるべく制御することを特徴とする情報処理装置のプログラム。
【請求項７】
ユーザを一意に識別するユーザ識別情報の入力を受け付け、当該ユーザが閲覧可能な被写体の画像データを表示する画像データ表示画面を表示するクライアント端末と、前記画像データ表示画面において表示する画像データを登録する情報処理装置を含む情報処理システムであって、
前記画像データの被写体情報と当該被写体の画像データを閲覧可能なユーザのユーザ識別情報の指定を受け付ける指定受付画面を、前記クライアント端末に表示させるべく制御する指定受付画面表示制御手段と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御手段と、
を備え、
前記表示制御手段は、前記画像データ表示画面において選択を受け付けた被写体の画像データを、前記画像データ表示画面において表示させるべく制御することを特徴とする情報処理システム。
【請求項８】
ユーザを一意に識別するユーザ識別情報の入力を受け付け、当該ユーザが閲覧可能な被写体の画像データを表示する画像データ表示画面を表示するクライアント端末と、前記画像データ表示画面において表示する画像データを登録する情報処理装置を含む情報処理システムの制御方法であって、
前記画像データの被写体情報と当該被写体の画像データを閲覧可能なユーザのユーザ識別情報の指定を受け付ける指定受付画面を、前記クライアント端末に表示させるべく制御する指定受付画面表示制御工程と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御工程と、
を含み、
前記表示制御工程は、前記画像データ表示画面において選択を受け付けた被写体の画像データを、前記画像データ表示画面において表示させるべく制御することを特徴とする情報処理システムの制御方法。
【請求項９】
ユーザを一意に識別するユーザ識別情報の入力を受け付け、当該ユーザが閲覧可能な被写体の画像データを表示する画像データ表示画面を表示するクライアント端末と、前記画像データ表示画面において表示する画像データを登録する情報処理装置を含む情報処理システムを制御するプログラムであって、
前記情報処理システムを、
前記画像データの被写体情報と当該被写体の画像データを閲覧可能なユーザのユーザ識別情報の指定を受け付ける指定受付画面を、前記クライアント端末に表示させるべく制御する指定受付画面表示制御手段と、
前記クライアント端末に前記画像データを表示する場合に、前記クライアント端末で入力を受け付けた前記ユーザ識別情報のユーザが閲覧可能として指定された前記被写体のうち表示する被写体を選択可能な前記画像データ表示画面を、前記クライアント端末に表示させるべく制御する表示制御手段として機能させ、
前記表示制御手段は、前記画像データ表示画面において選択を受け付けた被写体の画像データを、前記画像データ表示画面において表示させるべく制御することを特徴とする情報処理システムのプログラム。
【請求項１０】
ユーザを一意に識別するユーザ識別情報の入力を受け付け、当該ユーザが閲覧可能な被写体の画像データを表示する画像データ表示画面を表示するクライアント端末であり、前記画像データ表示画面において表示する画像データを登録する情報処理装置と通信可能なクライアント端末であって、
前記画像データの被写体と当該被写体の画像データを閲覧可能なユーザのユーザ識別情報の指定を受け付ける指定受付画面を、表示画面に表示させるべく制御する指定受付画面表示制御手段と、
前記画像データを表示画面に表示する場合に、前記入力を受け付けた前記ユーザ識別情報のユーザが閲覧可能として指定された前記被写体のうち表示する被写体を選択可能な前記画像データ表示画面を、表示画面に表示させるべく制御する表示制御手段と、
を備え、
前記表示制御手段は、前記画像データ表示画面において選択を受け付けた被写体の画像データを、前記画像データ表示画面において表示させるべく制御することを特徴とするクライアント端末。
【請求項１１】
ユーザを一意に識別するユーザ識別情報の入力を受け付け、当該ユーザが閲覧可能な被写体の画像データを表示する画像データ表示画面を表示するクライアント端末であり、前記画像データ表示画面において表示する画像データを登録する情報処理装置と通信可能なクライアント端末の制御方法であって、
前記画像データの被写体と当該被写体の画像データを閲覧可能なユーザのユーザ識別情報の指定を受け付ける指定受付画面を、表示画面に表示させるべく制御する指定受付画面表示制御工程と、
前記画像データを表示画面に表示する場合に、前記入力を受け付けた前記ユーザ識別情報のユーザが閲覧可能として指定された前記被写体のうち表示する被写体を選択可能な前記画像データ表示画面を、表示画面に表示させるべく制御する表示制御工程と、
を含み、
前記表示制御工程は、前記画像データ表示画面において選択を受け付けた被写体の画像データを、前記画像データ表示画面において表示させるべく制御することを特徴とするクライアント端末の制御方法。
【請求項１２】
ユーザを一意に識別するユーザ識別情報の入力を受け付け、当該ユーザが閲覧可能な被写体の画像データを表示する画像データ表示画面を表示するクライアント端末であり、前記画像データ表示画面において表示する画像データを登録する情報処理装置と通信可能なクライアント端末を制御するプログラムであって、
前記クライアント端末を、
前記画像データの被写体と当該被写体の画像データを閲覧可能なユーザのユーザ識別情報の指定を受け付ける指定受付画面を、表示画面に表示させるべく制御する指定受付画面表示制御手段と、
前記画像データを表示画面に表示する場合に、前記入力を受け付けた前記ユーザ識別情報のユーザが閲覧可能として指定された前記被写体のうち表示する被写体を選択可能な前記画像データ表示画面を、表示画面に表示させるべく制御する表示制御手段として機能させ、
前記表示制御手段は、前記画像データ表示画面において選択を受け付けた被写体の画像データを、前記画像データ表示画面において表示させるべく制御することを特徴とするクライアント端末のプログラム。